(57)【特許請求の範囲】
【請求項１】
矢羽を一端に備えた軸である矢柄と、その矢柄の先端部に設けられた弾頭とを有し、
前記弾頭は、
着弾時の衝撃を受ける衝撃板と打撃先端部とを備え、着弾時の衝撃により作動するように、付勢部材を介して装着された撃針と、
前記打撃先端部による打撃により発火する雷管を前記撃針先端部に相対向する位置に配置してなる雷管室が設けられた伝火管と、
前記伝火管内の直径方向に張設され、前記伝火管の管外に連通し、前記雷管の発火を伝達する速火線と、
少なくとも一方が前記速火線と接触するように前記伝火管の周囲に配置された発光剤及び発音剤とを有することを特徴とする発光発音矢。
【発明の詳細な説明】
【０００１】
【発明の属する技術の分野】
この発明は発光発音矢に関し、さらに詳しくは、各種イベント、セレモニー、パレード、演劇、遊戯、及び鳥獣威嚇等に使用することができ、目的に応じて例えば、所望の光量及び所望の音量を発することができ、鳥獣を生け捕りにすることができ、しかも救命用に使用することができる発光発音矢に関する。
【０００２】
【従来の技術及び発明が解決しようとする課題】
従来から、各種イベント、セレモニー、パレード、演劇、遊戯等の演出においては、空砲、花火、爆竹等を採用した演出が行なわれている。
【０００３】
前記空砲を採用する場合は、音による演出を行なうことはできるが光による演出ができないことに加え、例えば、その場で空砲を撃つ場合若しくは遠隔操作により空砲を撃つ場合のように、空砲を設置する場所、即ち音の発生源を予め定められた場所に固定する必要があった。
【０００４】
また前記花火を採用する場合は、例えば、その場で花火に点火する場合若しくは遠隔操作により花火を打ち上げる場合のように、花火に点火する場所若しくは花火を打ち上げる場所、即ち光の発生源及び音の発生源を予め定められた場所に固定する必要があった。
【０００５】
さらに前記爆竹を採用する場合は、音による演出を行なうことはできるが光による演出ができないことに加え、例えば、その場で爆竹を鳴らす場合若しくは遠隔操作により爆竹を鳴らす場合のように、爆竹を使用する場所、即ち音の発生源を予め定められた場所に固定する必要があった。
【０００６】
このように、光の発生源及び音の発生源を予め定められた場所に固定してしまうと、光及び音による演出効果が単調になるという問題があり、光の発生源及び音の発生源を予め定められた場所に固定する必要がなく、光の発生源及び音の発生源を自由に移動することができる、変化に富んだ演出が望まれていた。
【０００７】
一方、従来から鳥獣を威して追い払うこと、若しくは、鳥獣を威して鳥獣を捕獲することを目的に、空砲銃、猟銃等が採用されている。
【０００８】
前記空砲銃を採用する場合は、音による威嚇を行なうことはできるが光による威嚇ができず、しかも例えば、その場で空砲銃を撃つ場合若しくは遠隔操作により空砲銃を撃つ場合のように、空砲銃を使用する場所、即ち音の発生源を予め定められた場所に固定する必要があるので威嚇効果が低く、前記空砲銃を撃とうとしても鳥獣が移動してしまうことで威嚇効果を発揮できないという問題があった。
【０００９】
前記猟銃を採用する場合は、音による威嚇を行なうことはできるが光による威嚇ができず、猟銃を使用する場所、即ち音の発生源を予め定められた場所に固定する必要があるので威嚇効果が低く、前記猟銃を撃とうとしても鳥獣が移動してしまうことで威嚇効果を発揮できないという問題があった。しかも、前記猟銃の銃弾が鳥獣に命中してしまった場合、鳥獣を生け捕りにすることができないという問題もあった。
【００１０】
更に言うと、例えば凶暴な獣に捕らえられた人間の子供を救出する場合、前記空砲銃及び前記猟銃では、前記獣が移動してしまうことで威嚇効果を発揮できず、特に前記猟銃においては人間の子供に銃弾が命中してしまう恐れがあって前記猟銃を救命用に使用できない、という問題があった。
【００１１】
本発明の目的は、各種イベントの目的に応じて所望の光量及び所望の音量を発することができ、しかも光の発生源及び音の発生源を予め定められた場所に固定する必要がなく、所望の場所で使用することができる発光発音矢を提供することにある。
【００１２】
本発明の他の目的は、鳥獣に対して威嚇効果が高く、鳥獣を生け捕りにすることができる発光発音矢を提供することにある。
【００１３】
本発明の他の目的は、救命用に使用することができる発光発音矢を提供することにある。
【００１４】
【課題を解決するための手段】
前記課題を解決するための手段は、矢羽を一端に備えた軸である矢柄と、その矢柄の先端部に設けられた弾頭とを有し、前記弾頭は、着弾時の衝撃を受ける衝撃板と打撃先端部とを備え、着弾時の衝撃により作動するように、付勢部材を介して装着された撃針と、前記打撃先端部による打撃により発火する雷管を前記撃針先端部に相対向する位置に配置してなる雷管室が設けられた伝火管と、前記伝火管内の直径方向に張設され、前記伝火管の管外に連通し、前記雷管の発火を伝達する速火線と、少なくとも一方が前記速火線と接触するように前記伝火管の周囲に配置された発光剤及び発音剤とを有することを特徴とする発光発音矢である。
【００１５】
【発明の実施の形態】
（一般的説明）
この発明の発光発音矢は、矢羽を一端に備えた軸の先端部に弾頭を設けてなる。
【００１６】
この発明の発光発音矢は、前記矢羽を一端に備えた軸の先端部に弾頭を設けてなるので、ハンドクロスボウ等のボウガン、アーチェリー等の弓、若しくは矢を発射することができる発射装置等でこの発光発音矢を発射することができる。
【００１７】
この発明の発光発音矢においては、前記弾頭と前記軸と前記矢羽とにおけるそれぞれの重量、形状、寸法等を適宜に設計することにより発光発音矢における重心の位置及びバランスを調整することができるので、発射された発光発音矢の飛行姿勢を安定させることができる。
【００１８】
前記弾頭の形状としては、特に制限はなく、例えば棒状、円柱状、角柱状等の柱状、立方体、直方体等の方体状、球状、楕円体状等を挙げることができる。
【００１９】
前記弾頭は、撃針と雷管と速火線と発光剤と発音剤とを有してなる。
【００２０】
前記弾頭の大きさとしては、発光発音矢の用途、前記発光剤及び発音剤の大きさ、発光発音矢における重心の位置及びバランス等に応じて適宜決定される。
【００２１】
前記弾頭の素材としては、ボール紙、段ボール紙等の紙、木材、公知のプラスチックス、軽合金、金属、セラミックス等を挙げることができる。
【００２２】
前記撃針は、前記弾頭の着弾時の衝撃により作動し、この撃針による打撃によって前記雷管が発火するように形成されてなる。
【００２３】
前記雷管は、例えば銅、アルミニウム、鉄、黄銅等の金属製管体に添装薬及び起爆薬を充填してなる。
【００２４】
前記添装薬は、前記起爆薬の爆発速度を高め、前記起爆薬の起爆力を増大させる機能を有し、前記添装薬としては、例えば、トリニトロトルエン、テトリル、ヘキソーゲン、ペンスリット等を採用することができる。
【００２５】
前記起爆薬としては、例えば、雷汞即ち雷酸水銀（II）、雷酸カリウム、雷酸、雷酸銀、雷酸カルシウム、雷酸バリウム、雷酸マンガン、雷酸カドミウム、雷酸タリウム、雷酸銅等の雷酸塩、ジアゾジニトロフェノール（ＤＤＮＰ）、硝酸ジアゾベンゼン、過塩素酸ニトロジアゾベンゼン等のジアゾ化合物、アジ化鉛、アジ化銀、アジ化銅、アジ化水銀等のアジ化物、トリニトロレゾルシン鉛（トリシネート）、ジニトロレゾルシン鉛、ピクリン酸鉛、ジニトロフェノール鉛、ジニトロレゾルシン水銀、ジニトロレゾルシン銀、ヘキシル鉛、ジニトロ安息香酸鉛、ジニトロサリチル酸鉛、トリニトロメタクレゾール鉛、ジアゾジニトロフェノール鉛、トリニトロトリオキシベンゼン鉛等のニトロ化合物重金属塩、グアニルニトロソアミノグアニルテトラセン（テトラセン）、アセチレン銀、シアヌールトリアジド、ヘキサメチレントリパーオキサイドジアミンなどを採用することができる。
【００２６】
前記起爆薬は、単独で用いても良いし、前記起爆薬の複数種を混合して用いても良いし、さらにバインダー、可燃物、酸化剤、及び摩擦薬等を添加しても良い。
【００２７】
前記バインダー、可燃物、酸化剤、及び摩擦薬等としては、みじん粉、紙類、木炭、金属粉、過酸化物、クロム酸塩、塩素酸塩、過塩素酸塩、硝酸塩、ロダン化鉛、ニトロセルロース、重クロム酸塩、リン等を挙げることができる。
【００２８】
前記雷管としては、銃用雷管、及び電気雷管等を挙げることができる。
【００２９】
前記銃用雷管は、例えば、前記弾頭の着弾時の衝撃により前記撃針が前記銃用雷管を打撃することによって、前記銃用雷管中の前記添装薬及び前記起爆薬が発火するように形成されてなるので、前記銃用雷管中の前記添装薬及び前記起爆薬においては、衝撃感度が高いことが好ましい。
【００３０】
前記銃用雷管用の起爆薬としては、雷汞、三硫化アンチモン及び塩素酸カリウムを有してなる雷汞爆粉、ロダン化鉛、三硫化アンチモン、塩素酸カリウム及びトリニトロトルエンを有してなるロダン化鉛系爆粉、トリシネート、テトラセン、三硫化アンチモン及び硝酸バリウムを有してなるトリシネート系爆粉等を好適に採用することができる。
【００３１】
前記電気雷管は、例えば、通電遮電切替スイッチを介して電池に接続する２本の脚線の先端に電橋を設け、この電橋を覆うように点火薬を膠着させてなる電気点火装置により、前記点火薬に点火した後に起爆薬を発火する構造を有し、前記弾頭の着弾時の衝撃により前記撃針が前記通電遮電切替スイッチを通電状態にし、前記点火薬が電気雷管中の前記添装薬及び前記起爆薬を発火するように形成されてなるので、前記点火薬においては、発火感度が高いことが好ましい。
【００３２】
前記脚線としては、例えば、線径０．５ｍｍ、電気抵抗０．１Ω／ｍの軟銅線を塩化ビニル樹脂で被覆した合成樹脂被覆線を挙げることができる。
【００３３】
前記電橋としては、例えば、線径０．０３ｍｍ、電気抵抗３００〜４００Ω／ｍの白金線、白金とイリジウムの合金線等を挙げることができる。
【００３４】
前記点火薬としては、前記起爆薬を採用することができるが、特にロダン化鉛、塩素酸カリウム及びニトロセルロースを有してなるロダン化鉛系点火薬、ＤＤＮＰ系点火薬、トリシネート／テトラセン系点火薬等を好適に採用することができる。
【００３５】
前記点火薬は、生ゴム、ニトロセルロース等のバインダー、及び、ベンゾール、酢酸エチル等の溶剤と共にペースト状に練られ、点火玉として前記電橋に膠着させることができる。
【００３６】
前記電気雷管用の起爆薬としては、前記銃用雷管用の起爆薬と同様のものを採用することができる。
【００３７】
前記電気雷管は、前記撃針による前記電気点火装置の通電開始から前記起爆薬の発火までに要する時間の長さを、所望の長さに調節することができる。
【００３８】
前記電気雷管としては、前記電気点火装置の通電開始から前記起爆薬の発火までに要する時間が通常２〜３秒である瞬発電気雷管、前記電気点火装置と前記起爆薬との間に延時装置を設けてなる遅発電気雷管を挙げることができる。
【００３９】
前記延時装置としては、前記電気点火装置における前記点火薬と前記起爆薬との間に介装された延時薬、及び、前記点火薬と前記起爆薬との間に設けられた延時導火線、延時導火管等を挙げることができる。
【００４０】
前記延時薬としては、酸化剤と還元剤とを組み合わせた無ガス延時薬を挙げることができ、前記酸化剤としてはＢａＯ2 、Ｐｂ3 Ｏ4 、ＫＭｎＯ4 、ＰｂＣｒＯ4 等を、前記還元剤としては金属粉、合金の粉末、非金属の粉末等を挙げることができる。
【００４１】
前記延時導火線としては、例えば、前記延時薬とバインダーとを混合し、ガラス糸等の不燃性糸条で被覆したものを挙げることができる。
【００４２】
前記延時導火管としては、例えば、前記延時薬を黄銅、アルミニウム、鉛等の金属筒管に充填したものを挙げることができる。
【００４３】
前記延時装置は、前記電気点火装置における前記点火薬が点火した後、前記起爆薬が発火するまでの時間を延ばす機能を有してなる。
【００４４】
前記電気点火装置における前記点火薬が点火した後、前記起爆薬が発火するまでの時間の異なる前記延時装置を設けた前記遅発電気雷管を、複数組み合わせることによって、段階的に起爆薬を発火することができる。
【００４５】
また、前記銃用雷管に前記延時装置を設けて遅発銃用雷管を得ることもでき、前記起爆薬が発火するまでの時間の異なる前記延時装置を設けた前記遅発銃用雷管を、複数組み合わせることによって、段階的に起爆薬を発火することができる。
【００４６】
この発明の発光発音矢においては、複数の前記遅発電気雷管若しくは複数の前記遅発銃用雷管を段階的に起爆させることによって、複数の前記発光剤及び複数の前記発音剤を所望の時間間隔で発光及び発音させることができるので、例えば、各種イベントの目的に応じて光及び音を発する間隔を様々に変化させた光及び音の演出を行なうことができ、また高い鳥獣威嚇効果を発揮することができる。
【００４７】
例えば、前記発光剤及び前記発音剤の充填量を減らし且つ前記延時装置を設けていない前記銃用雷管を有してなる弾頭と、前記発光剤及び前記発音剤の充填量を増やした前記遅発銃用雷管を有してなる弾頭とを備えてなる発光発音矢を起爆させることにより、まず前記延時装置を設けていない前記銃用雷管の起爆による弱い発光及び弱い発音で周囲の人間の注意を引き、周囲の人間の注意を引きつけたところで、前記遅発銃用雷管による強い発光及び強い発音を発することができる。
【００４８】
前記雷管は前記撃針による打撃によって発火し、この雷管の発火を前記速火線が前記発光剤及び前記発音剤に伝達して、前記発光剤が発光し、前記発音剤が発音する。
【００４９】
前記速火線は、前記雷管の発火を瞬時に前記発光剤及び前記発音剤に伝達することができれば特に限定されず、例えば速く燃える導火線を採用することができる。
【００５０】
前記発光剤及び前記発音剤としては、燃焼により発光及び発音する物質であれば特に制限はなく、それ自体公知の発光剤及び発音剤の中から目的に応じて適宜選択することができる。
【００５１】
前記発光剤及び前記発音剤は、酸化剤、可燃剤、助燃剤、発色剤、光輝剤、音薬、炎色剤等の中から目的に応じて選択された薬剤を配合することによって得ることができる。
【００５２】
前記酸化剤としては、例えば、過塩素酸カリウム、塩素酸カリウム、過塩素酸アンモニウム、硝酸カリウム、硝酸バリウム、硝酸ナトリウム等を挙げることができる。
【００５３】
前記可燃剤及び前記助燃剤としては、例えば、石炭、木炭、硫黄、木粉、松根ピッチ、アルミニウム粉、マグネシウム粉、チタン粉、樹脂粉、小麦粉、澱粉、三硫化ヒ素、三硫化アンチモン、ＢＬ剤、デキストリン、セルラック、テレピン油の蒸留残渣である洋チャン等を挙げることができる。
【００５４】
前記発色剤としては、例えば、蓚酸ナトリウム、硝酸バリウム、炭酸ストロンチウム、硫酸銅、過塩素酸カリウム等を挙げることができる。
【００５５】
前記光輝剤としては、例えば、鉄粉、マグネシウム粉、アルミニウム粉等を挙げることができる。
【００５６】
前記音薬としては、例えば、過塩素酸カリウム、塩素酸カリウム、ピクリン酸カリウムと硝酸カリウムとの配合薬、没食子酸と塩素酸カリウムとの配合薬、過塩素酸カリウムとアルミニウムと三硫化アンチモンとの配合薬、過塩素酸カリウムとチタンとの配合薬等を挙げることができる。
【００５７】
前記炎色剤としては、例えば、硝酸ストロンチウム、蓚酸ストロンチウム、炭酸ストロンチウム等のストロンチウム化合物、炭酸カルシウム、硫酸カルシウム等のカルシウム化合物、蓚酸ナトリウム、群青等のナトリウム化合物、硝酸バリウム、炭酸バリウム、蓚酸バリウム等のバリウム化合物、花緑青、銅粉、硫酸銅、塩基性炭酸銅等の銅化合物等を挙げることができる。
【００５８】
前記炎色剤においては、色の種類及び色の濃淡を調節することができ、例えば、赤色を発色させる場合には前記ストロンチウム化合物及び前記カルシウム化合物、黄色を発色させる場合には前記ナトリウム化合物、緑色を発色させる場合には前記バリウム化合物、青色を発色させる場合には前記銅化合物を採用することができる。
【００５９】
さらに前記炎色剤に、ポリ塩化ビニル、ＢＨＣ等の塩化物を添加することによって色を鮮明にすることができるので、各種イベントの目的に応じて色彩変化に富んだ演出を行なうことができ、また高い鳥獣威嚇効果を発揮することができる。
【００６０】
この発明においては、前記発光剤及び前記発音剤だけでなく発煙剤を採用することができる。
【００６１】
前記発煙剤は、例えば、前記酸化剤と前記可燃剤と発煙する色素と、必要に応じて、前記色素の煙の燃焼を調節することができる消炎剤とを配合することによって得ることができる。
【００６２】
前記色素としては、例えば、塩素酸カリウム、ローダミン、オイルイエロー、インジゴ、パラレッド、オーラミン、フタロシアニンブルー、オイルレッド、アントラセン、三硫化ヒ素、過塩素酸カリウム、麻炭、小麦粉等を挙げることができる。
【００６３】
前記消炎剤としては、前記色素の煙が燃焼してしまうことを防止することができる減熱消炎剤、例えば、炭酸水素ナトリウム、炭酸水素カリウム等を挙げることができる。
【００６４】
この発明においては、前記発光剤、前記発音剤、及び前記発煙剤を採用することにより、発光発音発煙矢として光と音と煙の演出を行なうことができる。
【００６５】
この発明の発光発音矢は、前記弾頭に前記撃針と前記雷管と前記速火線と前記発光剤と前記発音剤とを有してなる。
【００６６】
前記発光剤及び前記発音剤は、合成樹脂製の袋、例えばポリエチレン製の袋等に充填されてなるのが好ましい。
【００６７】
前記弾頭の形態としては、例えば、この発明の発光発音矢における矢羽を一端に備えた軸の先端部に結合された円筒体を挙げることができる。
【００６８】
前記円筒体が、例えば前記筒体の底面側に底栓が設けられ、前記筒体の上面側に上栓が設けられてなる場合、前記底栓と前記軸とを結合し、前記上面に前記撃針を設けてなるのが好ましい。
【００６９】
前記円筒体の内部には、前記撃針が前記雷管に打撃を与えることができるように、前記雷管を配置した雷管室を設け、且つ前記雷管が発火した場合に前記雷管の発火を前記速火線に伝える伝火管を設けるのが好ましい。
【００７０】
前記円筒体の内部においては、前記雷管の発火が前記速火線により伝達されることにより発光発音する前記発光剤及び前記発音剤の少なくとも一方が、前記速火線と接触するように、且つ前記発光剤及び前記発音剤が前記円筒体における内周面と接触するように、前記発光剤及び前記発音剤を配置するのが好ましい。
【００７１】
また、前記発光剤と前記発音剤との間、前記発光剤と前記速火線との間、及び前記発音剤と前記速火線との間には、それぞれ発火促進薬若しくは前記延時装置を介装することができる。
【００７２】
前記円筒体においては、その周面に貫通孔を設けることが好ましい。
【００７３】
前記円筒体の周面に貫通孔を設けることにより、前記発光剤及び前記発音剤が発光及び発音する場合、前記発光剤及び前記発音剤が円滑に発光及び発音することができる。例えばボール紙製の前記円筒体を採用した場合、前記ボール紙製の円筒体の周面に貫通孔を設けることにより、前記発光剤及び前記発音剤が発光及び発音すると同時に、前記ボール紙製の円筒体が容易に破砕されることができ、前記発光剤及び前記発音剤の発光及び発音が円滑に行なわれる。
【００７４】
さらに前記円筒体の周面に設けた貫通孔を塞ぐように、前記円筒体の外周面を錫箔、合成樹脂薄膜等の防湿材で被覆するのが好ましい。
【００７５】
前記円筒体の周面に前記防湿材を設けることにより、前記円筒体を補強すると共に湿気の侵入等を防止することができるので、例えばこの発明の発光発音矢を保管する場合及び降雨時に使用する場合等において、前記発光剤及び前記発音剤等の湿気による変質を効果的に防止することができる。
【００７６】
（具体的説明）
以下に、この発明の発光発音矢の一実施例について図面を参照しながら説明する。
【００７７】
図１及び図２に示すように、この発明の発光発音矢である発光発音アロー１は、矢羽２を一端に備えた樹脂製で且つ中空の軸３の先端部３ａに設けられた弾頭４を有する。
【００７８】
前記弾頭４は、着弾時の衝撃により作動するステンレス鋼製の撃針５と、この撃針５による打撃により発火する銃雷管６と、この銃雷管６の発火を伝達する速火線７と、この速火線７により、発光する発光剤８及び発音する発音剤９とを有してなる。
【００７９】
前記軸３の前記先端部３ａは、前記軸３と前記弾頭４とを結合するアルミニウム製の接続筒１０を備えてなり、前記接続筒１０の一端における外周面１０ａと前記軸３の内周面３ｂとが離脱不可能に嵌合されてなる。
【００８０】
前記弾頭４は、ボール紙製の紙筒４ａと、前記紙筒４ａの底面側に設けられた樹脂製の底栓４ｂと、前記紙筒４ａの上面側に設けられた樹脂製の上栓４ｃとを有してなり、略円筒形に形成されてなる。
【００８１】
前記紙筒４ａと前記底栓４ｂ、前記紙筒４ａと前記上栓４ｃとはそれぞれ接着剤で接着されてなる。
【００８２】
前記弾頭４における前記底栓４ｂは、円盤状に形成されてなり、その中心には前記軸３とほぼ同じ外周を有する突出部に設けられた雌螺子４ｄを備えてなる。
【００８３】
前記接続筒１０は、前記軸３と結合する前記一端の反対側の他端に、前記雌螺子４ｄに螺合可能な雄螺子１０ｂを備えてなり、前記雌螺子４ｄと前記雄螺子１０ｂとを螺合することにより、前記弾頭４と前記中空軸３とを結合することができる。  前記弾頭４における前記上栓４ｃには、前記撃針５を貫通させて装着することができる貫通装着孔４ｅが設けられてなる。
【００８４】
前記撃針５は前記上栓４ｃにおける前記貫通装着孔４ｅを貫通して前記上栓４ｃに装着される。
【００８５】
前記撃針５は、前記銃雷管６を打撃する打撃先端部５ａと、前記撃針５が前記貫通装着孔４ｅから抜けて落ちてしまうのを防止する抜け防止リング５ｂと、着弾時の衝撃を受ける衝撃板５ｃとを備えてなる。
【００８６】
前記撃針５は、前記上栓４ｃにおける前記弾頭４内の内側面４ｆ側から前記貫通装着孔４ｅを貫通し、さらに前記上栓４ｃにおける外側面４ｇ側においてステンレス製のスプリング１１を貫通するように形成され、スプリング付勢部材５ｄ及び前記衝撃板５ｃに結合されてなる。
【００８７】
前記スプリング１１の付勢力により、着弾時以外に前記撃針５が前記銃雷管６を打撃することを防止することができる。
【００８８】
前記弾頭４内には、前記撃針５が前記銃雷管６に打撃を与えることができるように、前記打撃先端部５ａに相対向する位置に前記銃雷管６を配置したアルミニウム製の雷管室１２を設け、且つ前記銃雷管６が発火した場合に前記銃雷管６の発火を前記速火線７に伝えるアルミニウム製の伝火管１３を設けてなり、前記伝火管１３内に前記雷管室１２が設けられてなる。
【００８９】
前記伝火管１３は、前記上栓４ｃに設けられた伝火管上端固定部４ｈと、前記底栓４ｂに設けられた伝火管下端固定部４ｉとで挟持されてなる。
【００９０】
前記雷管室１２は、前記伝火管１３内に嵌合することができる筒体に形成されてなり、その外周面に凹陥部１２ａを有してなる。
【００９１】
前記伝火管１３内に前記雷管室１２を嵌合した後、前記伝火管１３における前記凹陥部１２ａに相対向する管外周部１３ａを、前記凹陥部１２ａに向かって陥没させることによって、前記伝火管１３における前記凹陥部１２ａに相対向する管内周部１３ｂに、凸出部１３ｃを形成することができ、前記伝火管１３内に前記雷管室１２を固定することができる。
【００９２】
前記雷管室１２は、前記打撃先端部５ａが前記銃雷管６を打撃することができる位置に前記銃雷管６を固定する雷管固定部１２ｂと、前記雷管固定部１２ｂから前記伝火管１３内に連通し前記銃雷管６の発火による火炎が通過する発火通路１２ｃとを有してなる。
【００９３】
前記銃雷管６の発火は、前記発火通路１２ｃを通過した後、前記伝火管１３内に張設された前記速火線７に伝達される。
【００９４】
前記速火線７は、前記伝火管１３内の直径方向に張設されてなり、前記伝火管１３の管外に連通してなる。この実施例においては２本の前記速火線７が９０°のねじれの位置に張設されてなる。
【００９５】
前記弾頭４内における前記伝火管１３の周囲には、硝酸バリウムと蓚酸ナトリウムとアルミニウム粉とマグネシウム粉とを有してなる配合薬をポリ袋８ａに充填してなる前記発光剤８、及び、過塩素酸カリウムとアルミニウム粉と硫黄とを有してなる配合薬をポリ袋９ａに充填してなる前記発音剤９が配置され、前記発光剤８が、前記ポリ袋８ａを介して前記速火線７と接触するように形成されてなる。
【００９６】
前記発光剤８と前記発音剤９との間には、発火促進薬としての黒色火薬をバインダーとしてのみじん粉と共に和紙に塗布してなる黒色薬紙１４と、前記黒色薬紙１４を支持する支持紙１５とが介装されてなる。この実施例においては前記発光剤８と前記黒色薬紙１４とが接触するように形成されてなる。
【００９７】
前記支持紙１５には、前記発光剤８から前記発音剤９に発火を容易に伝達することができるように発火伝達孔１５ａが設けられてなる。
【００９８】
前記銃雷管６の発火は、前記速火線７により前記発光剤８に伝達されると、前記発光剤８を発光させ、これによって前記黒色薬紙１４が発火する。
【００９９】
前記黒色薬紙１４の発火は、前記支持紙１５における前記発火伝達孔１５ａを通過して前記発音剤９を発音させる。
【０１００】
前記弾頭４における前記紙筒４ａの周面には、貫通孔１６が複数個設けられてなる。
【０１０１】
前記紙筒４ａの周面に貫通孔を設けることにより、前記発光剤８及び前記発音剤９が発光及び発音する場合、前記発光剤８及び前記発音剤９が円滑に発光及び発音することができる。
【０１０２】
さらに前記弾頭４における前記紙筒４ａの外周面には、前記貫通孔１６を塞ぐように、前記紙筒４ａの外周面を錫箔製のそく紙１７が被覆されてなる。
【０１０３】
前記紙筒４ａの外周面を前記そく紙１７で被覆することにより、前記紙筒４ａを補強すると共に、前記貫通孔１６からの湿気の侵入等を防止することができ、前記発光剤８及び前記発音剤９等の湿気による変質を効果的に防止することができる。
【０１０４】
この実施例においては、前記雌螺子４ｄと前記雄螺子１０ｂとの結合部が重心になるように、前記弾頭４と前記軸３と前記矢羽２とにおけるそれぞれの重量、形状、寸法等を設計して前記発光発音アロー１を形成してなるので、前記発光発音アロー１を例えばボウガンで発射した場合、前記発光発音アロー１の飛行姿勢を安定化することができる。
【０１０５】
図１に示すように、前記発光発音アロー１を使用しない場合は、前記弾頭４における前記上栓４ｃと前記衝撃板５ｃとの間に、安全栓１８を介装することができる。
【０１０６】
前記安全栓１８を採用することにより、万一前記衝撃板５ｃに衝撃を与えてしまった場合でも、前記発光発音アロー１が発光及び発音することがないので、安全且つ容易に取り扱うことができる。
【０１０７】
以下に、前記発光発音アロー１における動作について説明する。
【０１０８】
動物園から逃げ出したゴリラが人間の子供を抱きかかえて森の中を動き回っているような場合、空砲銃若しくは猟銃では、前記ゴリラが移動してしまうことで前記ゴリラに対して威嚇効果を発揮できず、特に前記猟銃においては前記子供に銃弾が命中してしまう恐れがあって前記猟銃を使用することができない。
【０１０９】
このような場合、前記発光発音アロー１における前記発光剤によって前記ゴリラの目を眩ませ、さらに前記発音剤によって前記ゴリラを驚愕させて前記ゴリラを怯ませることによって、前記ゴリラに接近することができ、前記ゴリラに的確に麻酔弾若しくは銃弾を撃ち込むことができ、前記子供を救出することができる。
【０１１０】
まず、前記発光発音アロー１における前記安全栓１８を取り外し、前記発光発音アロー１をハンドクロスボウ（図示せず）に装填する。
【０１１１】
前記ゴリラは森の中を動き回っているので、前記ゴリラから１０〜２０ｍ離れた適宜の場所から、前記ゴリラの周囲の木に向けて前記発光発音アロー１を発射する。
【０１１２】
前記発光発音アロー１における前記衝撃板５ｃが前記ゴリラの周囲の木に衝突すると、前記撃針５が前記スプリング１１の付勢力に抗して前記弾頭４内に押し込まれる。
【０１１３】
押し込まれた前記撃針５における打撃先端部５ａは、前記銃雷管６を打撃し、前記銃雷管６が発火する。
【０１１４】
前記銃雷管６の発火による火炎は、前記雷管室１２における前記発火通路１２ｃを通過して、前記伝火管１３内に進入し、前記伝火管１３内において９０°のねじれの位置に張設された２本の前記速火線７に伝達される。
【０１１５】
前記銃雷管６の発火は前記速火線７により、前記伝火管１３外で前記速火線７と接触してなる前記ポリ袋８ａに充填された前記発光剤８に伝達され、前記発光剤８は発光する。
【０１１６】
前記発光剤８の発光とほぼ同時に、前記黒色薬紙１４が発火し、前記黒色薬紙１４の発火による火炎は、前記支持紙１５における前記発火伝達孔１５ａを通過して前記ポリ袋９ａに充填された前記発音剤９に伝達され、前記発音剤９は発音する。
【０１１７】
前記発光剤８の発光及び前記発音剤９の発音によって、前記弾頭４における周面に貫通孔１６を複数個設けてなる前記紙筒４ａが粉断されて、前記発光剤８の発光及び前記発音剤９の発音が、前記ゴリラの周囲に拡散する。
【０１１８】
前記発光剤８の発光により前記ゴリラの目を眩ませることができ、前記発音剤９の発音により前記ゴリラを驚愕させることができ、前記ゴリラを怯ませることができる。
【０１１９】
前記ゴリラが怯んだ隙に麻酔銃を持って前記ゴリラに接近し、前記ゴリラに麻酔弾を撃ち込むことができ、前記子供を救出することができる。
【０１２０】
【発明の効果】
この発明の発光発音矢は、（１）矢羽を一端に備えた軸の先端部に弾頭を設けてなるので、ハンドクロスボウ等のボウガン、アーチェリー等の弓、若しくは矢を発射することができる発射装置等によってこの発光発音矢を発射することができ、（２）弾頭と軸と矢羽とにおけるそれぞれの重量、形状、寸法等を適宜に設計して重心の位置及びバランスを調整することができるように形成されてなるので、発射された発光発音矢の飛行姿勢を安定させることができ、（３）光の発生源及び音の発生源を予め定められた場所に固定する必要がないので、所望の場所で使用することができ、（４）各種イベント等の目的に応じて、所望の光量及び所望の音量を発することができ、（５）各種イベント等の目的に応じて、変化に富んだ演出を行なうことができ、（６）複数の前記遅発電気雷管若しくは複数の前記遅発銃用雷管を採用することによって、複数の前記発光剤及び複数の前記発音剤を所望の時間間隔で発光及び発音させることができ、（７）各種イベントの目的に応じて、光及び音を発する間隔を様々に変化させて段階的に光及び音の演出を行なうことができ、（７）高い鳥獣威嚇効果を発揮することができ、（８）鳥獣の目を眩ませ、鳥獣の鼓膜に衝撃を与えることができ、鳥獣を驚愕させることができるので、鳥獣を生け捕りにすることができ、（９）救命用及び治安用に使用することができる。
【図面の簡単な説明】
【図１】図１は、本発明の発光発音矢の一実施例を示す一部断面概略図である。
【図２】図２は、図１の発光発音矢における弾頭の断面概略図である。
【符号の説明】
１・・・発光発音アロー、２・・・矢羽、３・・・軸、３ａ・・・先端部、３ｂ・・・内周面、４・・・弾頭、４ａ・・・紙筒、４ｂ・・・底栓、４ｃ・・・上栓、４ｄ・・・雌螺子、４ｅ・・・貫通装着孔、４ｆ・・・内側面、４ｇ・・・外側面、４ｈ・・・伝火管上端固定部、４ｉ・・・伝火管下端固定部、５・・・撃針、５ａ・・・打撃先端部、５ｂ・・・抜け防止リング、５ｃ・・・衝撃板、５ｄ・・・スプリング付勢部材、６・・・銃雷管、７・・・速火線、８・・・発光剤、８ａ・・・ポリ袋、９・・・発音剤、９ａ・・・ポリ袋、１０・・・接続筒、１０ａ・・・外周面、１０ｂ・・・雄螺子、１１・・・スプリング、１２・・・雷管室、１２ａ・・・凹陥部、１２ｂ・・・雷管固定部、１２ｃ・・・発火通路、１３・・・伝火管、１３ａ・・・管外周部、１３ｂ・・・管内周部、１３ｃ・・・凸出部、１４・・・黒色薬紙、１５・・・支持紙、１５ａ・・・発火伝達孔、１６・・・貫通孔、１７・・・そく紙、１８・・・安全栓。
【図１】
0003749773.tif 000002
【図２】
0003749773.tif 000003